(57)【要約】【課題】  建物の出入り口の通路などに設置して使用される出入り口用の排水器具の排水皿に簀の子を固着できるようにして盗難防止を図った排水器具及びそれに使用する排水皿、簀の子を提供する。【解決手段】  排水皿(1)の中に簀の子(2)が収容されている排水器具(100)であって、  排水皿(1)と、複数本の簀の子部材(21,22,23,24,25)を並べこれらを連結して構成されている簀の子(2)と、を有する。簀の子(2)には、所要の簀の子部材(23)の一端部を切除して固着手段を収容又は格納する簀の子部材欠落部(5)が形成されており、該簀の子部材欠落部(5)には、ボルト又はナットを螺着して簀の子(2)を固着する固着手段が収容又は格納される。排水皿(1)内であって上記簀の子部材欠落部(5)と反対側には、簀の子(2)と係合する係合具(4)を有し、固着手段と係合具が協働して排水皿に簀の子を固着する。【選択図】図７
2009019474.tif 000002
【特許請求の範囲】
【請求項１】
排水皿(1)の中に簀の子(2)が収容されている排水器具(100)であって、固着手段の一方を排水皿(1)側に有し、固着手段の他方を簀の子(2)側に有し、固着手段の一方と他方が協働して排水皿に簀の子を固着するようにした、
排水器具。
【請求項２】
排水皿(1)の中に簀の子(2)が収容されている排水器具(100)であって、固着手段の一方を排水皿(1)側に有し、固着手段の他方を簀の子(2)側に有し、該簀の子は、複数本の簀の子部材(21,22,23,24,25)を並べこれらを連結して構成されており、所要の簀の子部材(23)の一部を切除して固着手段を収容又は格納する簀の子部材欠落部(5)が形成され、固着手段の一方と固着手段の他方が協働して排水皿に簀の子を固着するようにした、
排水器具
【請求項３】
排水皿(1)の中に簀の子(2)が収容されている排水器具(100)であって、
排水皿(1)と、
複数本の簀の子部材(21,22,23,24,25)を並べこれらを連結して構成されている簀の子(2)と、
を有し、
上記簀の子(2)には、所要の簀の子部材(23)の一端部を切除して固着手段を収容又は格納する簀の子部材欠落部(5)が形成されており、該簀の子部材欠落部(5)には、ボルト又はナットを螺着して簀の子(2)を固着する固着手段が収容又は格納され、
上記排水皿(1)内であって上記簀の子部材欠落部(5)と反対側には、簀の子(2)と係合する係合具(4)を有し、
上記固着手段と係合具が協働して排水皿に簀の子を固着する、
排水器具。
【請求項４】
固着手段を収容又は格納する簀の子部材欠落部(5)を補完する補完体(8)を有する、請求項２または３記載の排水器具。
【請求項５】
固着手段を収容又は格納する簀の子部材欠落部(5)を補完する補完体(8)が、一端部を切除した簀の子部材(23)に基端側を回動可能に枢着し、補完体(8)の自重で下方に回動して簀の子部材欠落部を補完するように構成してある、請求項４記載の排水器具
【請求項６】
請求項１ないし５のいずれかの排水器具に使用する排水皿。
【請求項７】
請求項１ないし５のいずれかの排水器具に使用する簀の子。
【発明の詳細な説明】
【技術分野】
【０００１】
本発明は、排水器具及びそれに使用する排水皿、簀の子に係り、更に詳しくは、建物の出入り口の通路などに設置して使用される出入り口用の排水器具の排水皿に簀の子を固着できるようにして盗難防止を図った排水器具及びそれに使用する排水皿、簀の子に関する。
【背景技術】
【０００２】
例えば建物の出入り口の通路には、通行人の靴に付着した泥や水などを靴から取り除き、或いは散水や雨水などを出入り口で遮断して建物内部に入らないようにするために排水器具が使用されている。そのような排水器具が特許文献１または特許文献２に開示してある。
これらの排水器具は、排水皿とその中に収容された簀の子を備えている。排水皿の中には土等が溜まるため定期的に掃除する必要があり、簀の子は排水皿から容易に取り外せるようになっている。
【０００３】
【特許文献１】意匠登録第８５２３１７号
【特許文献２】意匠登録第８５２３２０号
【発明の開示】
【発明が解決しようとする課題】
【０００４】
ところで、近年、金属地金価格の上昇により、例えば公共施設に設置された手摺のような金属製品の盗難が頻繁に起こっている。前記排水器具に関していえば、排水皿は出入り口の通路に埋設して、コンクリート等で固定されているために盗難の恐れはあまりないといえる。しかし、排水皿の中に収容されている簀の子は容易に取り外せるために盗難の恐れがあり、簡単には盗難できないようにする必要に迫られている。
【０００５】
そこで、本発明の目的は、排水皿に簀の子を固着手段で固着し、盗難防止を図った排水器具およびそれに使用する排水皿、簀の子を提供することにある。
【課題を解決するための手段】
【０００６】
上記課題を解決するために本発明が講じた手段は次のとおりである。
本発明は、排水皿の中に簀の子が収容されている排水器具であって、固着手段の一方を排水皿側に有し、固着手段の他方を簀の子側に有し、固着手段の一方と他方が協働して排水皿に簀の子を固着するようにした、
排水器具である。
【０００７】
本発明は、 排水皿の中に簀の子が収容されている排水器具であって、固着手段の一方を排水皿側に有し、固着手段の他方を簀の子側に有し、該簀の子は、複数本の簀の子部材を並べこれらを連結して構成されており、所要の簀の子部材の一部を切除して固着手段を収容又は格納する簀の子部材欠落部が形成され、固着手段の一方と固着手段の他方が協働して排水皿に簀の子を固着するようにした、
排水器具である。
【０００８】
本発明は、排水皿の中に簀の子が収容されている排水器具であって、
排水皿と、複数本の簀の子部材を並べこれらを連結して構成されている簀の子と、を有し、上記簀の子には、所要の簀の子部材の一端部を切除して固着手段を収容又は格納する簀の子部材欠落部が形成されており、該簀の子部材欠落部には、ボルト又はナットを螺着して簀の子を固着する固着手段が収容又は格納され、上記排水皿内であって上記簀の子部材欠落部と反対側には、簀の子と係合する係合具を有し、上記固着手段と係合具が協働して排水皿に簀の子を固着する、
排水器具である。
【０００９】
本発明は、固着手段を収容又は格納する簀の子部材欠落部を補完する補完体を有するのが好ましい。
また、この固着手段を収容又は格納する簀の子部材欠落部を補完する補完体は、一端部を切除した簀の子部材に基端側を回動可能に枢着し、補完体の自重で下方に回動して簀の子部材欠落部を補完するのが、好ましい。
【００１０】
本発明は、上記排水器具に使用される排水皿である。
また、本発明は、上記排水器具に使用される簀の子である。
【００１１】
固着手段は、少なくとも一箇所にあれば簀の子を排水皿に固着できるが、二箇所以上設ければ、盗難防止にはより効果的である。
固着手段が複数ある場合は、同一または近似の構造を有する固着手段でも良いし、異なる構造を有する固着手段でも良い。
【００１２】
固着手段としては、ナットとボルトのように螺合によって固着するもの、係合突起と係合凹部の係合によるもの、或いは同様な構造で掛合によって固着するものをあげることができる。
【００１３】
特に、固着手段の解除に特別の器具を必要とする場合には、固着手段の解除が困難であり、簀の子の盗難防止を、より十分に図ることができる。
なお、固着手段は、上記のように排水皿内部を定期的或いは不定期的に掃除を必要とすることから、簀の子の取り外しが容易なものが好ましい。
【００１４】
（作用）
本発明に係る排水器具の作用を説明する。ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１５】
最初に建物の外部側出入り口の通路Ｆに排水皿１を設置する。設置に当たっては排水皿１の周りに生コンクリートを打設する。生コンクリートは、排水皿１の底板１１下面と掛止具１６１，１６２の間に入り込み、生コンクリートが固まったときに、掛止具１６１，１６２がアンカー効果を奏して、排水皿１が床面Ｆから取り外れるのを防止する。
【００１６】
通路Ｆに設置した排水皿１に簀の子２を設置する場合は、簀の子部材２３の後端側２０の空間部２３３に係合片４１に嵌め入れながら簀の子２を排水皿１内に設置する。
【００１７】
設置した状態では、排水皿１の底板１１に垂設した固着ボルト３０は、簀の子部材２を連結している先部の連結具７０の底板７０１に形成した貫通孔７１０を通って上面側に突き出て簀の子部材欠落部５の箇所に位置する。補完体８を上方に回動した状態でこの固着ボルト３０にナット３３を装着して締め込み、簀の子２を排水皿１に固着する。
【００１８】
作業が終われば補完体８は自重によって下方に回動して簀の子部材欠落部５を塞ぎ、簀の子２の上面は、簀の子部材間を除いて全体として略平面状態となる。
【００１９】
この状態で簀の子２を排水皿１から引き上げても、簀の子２は排水皿１に固着されているので取り外すことはできない。簀の子２を取り外すにはナット３３を取り外す工具および取り外し作業が必要となる。その手間が必要となり盗難の予防に役立つ。
特に、ナットに一般の工具では合わないような特殊なものを使用すると、盗難防止の効果は更に高まる。
【００２０】
なお、排水皿１の内部を掃除する場合は、ナット３３を取り外し、簀の子２を排水皿１から取り出せばよい。
【発明の効果】
【００２１】
本発明によれば、排水皿と簀の子を固着手段で固着しているので、排水皿から簀の子を簡単に取り出すことができない。従って、簀の子の盗難防止を図ることができる。
【００２２】
固着手段を収容又は格納する簀の子部材欠落部を補完する補完体を有するものは、例えばハイヒール靴のヒール部分や、傘の石突きなどが簀の子部材欠落部に入るのを防止できる。
この補完体が、一端部を切除した簀の子部材に基端側を回動可能に枢着し、補完体の自重で下方に回動して簀の子部材欠落部を補完するものは、作業者が、固着作業が終わった後に補完体で簀の子部材欠落部を補完するのを忘れていた場合でも自重で下方に回動し、簀の子部材欠落部を補完することができる。
【発明を実施するための最良の形態】
【００２３】
本発明を図面に示した実施例に基づき詳細に説明する。
【実施例１】
【００２４】
（排水器具）
図１は排水器具の一実施例を示した平面図、
図２は図１に示した排水器具の底面図、
図３は図１に示した排水器具の右面図、
図４は図１に示した排水器具の正面図、
図５は図１に示した排水器具のＡ−Ａ拡大断面図、
図６は図１に示した排水器具のＢ−Ｂ拡大断面図、
図７は図５の一部を省略した拡大図、
図８は図１に示した排水器具の先端側を拡大した要部斜視図である。
【００２５】
なお、各図を通して、符号を付することによって図が雑然とする場合は符号を省略している。
排水器具１００は、排水皿１と排水皿１の中に収容して設置する簀の子２を備える。
【００２６】
排水皿１はステンレス板を使用し、長方形状の底板１１の四辺から側板１２，１３，１４，１５を立ち上げて形成している。各側板１２，１３，１４，１５の上縁は外方に向けて水平に折曲され、更に下方に垂直に折曲されて、水平部と垂直部（垂縁）を形成した断面が横「Ｌ」状、平面視が長方形枠状のフランジ１６を形成している。
底板１１には、排水孔１１０を設けている。排水孔１１０口縁には、通常は図示を省略している排水トラップが取り付けられる。
【００２７】
フランジ１６の向かい合う長手側垂縁１６０，１６０の間に、上部が開放されている側面視「コ」状の掛止具１６１，１６２を、底板１１裏面と所要の間隔を設けて架設している。これによって排水皿１を通路Ｆに埋設したときの浮き上がり防止を図っている。
掛止具１６１，１６２は、本実施例ではステンレスの帯板を使用し、排水皿１の長手方向左右二箇所に配置しているが、掛止具１６１，１６２の素材や配置数、形状、配置箇所は適宜選択が可能である。
なお、より十分な浮き上がり防止を図るには、掛止具１６１，１６２にアンカー具１７０を取り付けるのが好ましい。本実施例においてアンカー具１７０はステンレスの帯板を使用し、中央に位置するアンカー基体１７１の左右には、段部を介して左右にアンカー脚１７２，１７３を形成している。アンカー具１７０はビス１７４，１７４によって掛止具１６１，１６２に取り付ける。
【００２８】
簀の子１には補完体８が基部を枢着部として上下方向に回動可能に設けてある。補完体８に関しては後で説明する。
【００２９】
（排水皿）
排水皿について更に詳しく説明する。
図９は本発明に係る排水皿の一実施例を示した平面図、
図１０は図９に示した排水皿の底面図、
図１１は図９に示した排水皿の斜視図である。
なお、図９から図１１に示した排水皿は、図１に示した排水器具に使用しているものと同じである。
【００３０】
底板１１の短辺側の一端部には、固着手段（固着具）の一方である固着ボルト３０を設けている。固着ボルト３０は、底板１１にボルトを溶接によって垂設し、スタッドボルト状としている。なお、底板１１に直接ボルトを溶接しないで、別の基盤にボルトを溶接し、その基盤を底板１１に溶接して設けることもできる。このように、底板１１に固着ボルト３０が設けられていればよく、その手段は特に限定するものではない。
なお、固着手段の他方であるナットについては後で説明する。
【００３１】
排水皿１の短辺側の他端部である側板１４内面の略中央部分には、固着ボルト３０と協働して簀の子２を固定する係合具４を設けている。係合具４は長方形の板、例えばステンレス板を「Ｌ」状に折曲し、第１の係合片４１を向かい合う他方の側板１２側に向けて突設している。係合具４の第２の係合片４２は側板１４に溶接している。
【００３２】
なお、底板１には排水孔１１０に向けて排水溝１０を設け、排水皿１内の水が流れ易いようにしている。本実施例では、排水溝の形状は高さが高い二等辺三角形状に形成しているが、これに限定されず、底板１の形状や大きさによって適宜設定が可能である。
【００３３】
（簀の子）
簀の子について更に詳しく説明する。
図１２は本発明に係る簀の子の一実施例を示した平面図、
図１３は図１２に示した簀の子の底面図、
図１４は図１２に示した簀の子の正面図、
図１５は図１２に示した簀の子の背面図、
図１６は図１２に示した簀の子の拡大左側面図、
図１７は図１２に示した簀の子の拡大右側面図、
図１８は図１２に示した簀の子の斜視図である。
なお、図１２から図１８に示した簀の子は、図１に示した排水器具に使用しているものと同じである。
【００３４】
（簀の子）
簀の子２は、複数本（本実施例では５本）の簀の子部材２１，２２，２３，２４，２５を所要間隔を設けて並設し、これらの簀の子部材２１，２２，２３，２４，２５を連結している。
【００３５】
簀の子部材２１，２２，２３，２４，２５は、細長帯状のステンレス板を上部の二箇所で折曲し、頂面２１０，２２０，２３０，２４０，２５０が平面、頂面２１０，２２０，２３０，２４０，２５０の一端側から垂設して支脚壁（壁状の支脚）２１１，２２１，２３１，２４１，２５１を形成している。各支脚壁は、簀の子２を排水皿１内に設置したとき、上からの加重を支える。頂面２１０，２２０，２３０，２４０，２５０の他端側から垂設して支脚壁２１１，２２１，２３１，２４１，２５１よりも短い壁（符号省略）を形成している。この短い壁は、簀の子部材２１，２２，２３，２４，２５の強度を向上すると共に、端面処理の役割を果たしている。
【００３６】
各支脚壁２１１，２２１，２３１，２４１，２５１には、並べたときに軸線を同じにした貫通孔（符号省略）を水平方向に複数（本実施例では長さ方向の両側に一箇所ずつ、中央部分に一箇所の合計三箇所）を設けている。この貫通孔に連結ボルト６，６，６を挿入し、挿入端にナット６０を螺着して簀の子部材２１，２２，２３，２４，２５を連結する。
隣接する支脚壁の間には、連結ボルト６，６，６に間隔保持管６１を嵌挿しており、これによって各支脚壁同士は一定の間隔を保持した状態で固定される。
【００３７】
各連結ボルト６，６，６の下側には、それぞれ連結具７０，７１，７２を配置している。連結具７０，７１，７２は、ステンレス板を使用し、上部が開放されている側面視「コ」状に形成され、両側面は連結ボルト６，６，６の頭とナット６０によって並設した両側の支脚壁２１１，２５１に固着している。連結具７０，７１，７２の各底板７０１，７１１，７２１には緩衝材Ｒを設けて、連結具７０，７１，７２が直接排水皿１の底板１１内面と接しないようにして、上からの荷重の緩衝と金属同士の接触による音の発生を防止している。緩衝材としてはゴムを使用している。
底板７０１には、固着ボルト３０を挿通する挿通孔７１０を形成している。挿通孔７１０は丸孔でもよいが、長孔にすると固着作業に際して、簀の子２が長手方向に多少ずれても、そのずれに対応できる。
【００３８】
中央に配置している一本の簀の子部材２３の長さは、他の簀の子部材の長さよりも短かく、簀の子部材２１，２２，２３，２４，２５は、係合具４側の後端側２０を揃えている。
これによって短い簀の子部材２３の反対側端には、簀の子部材２３の一部の欠落によって固着手段で固着するときの操作用の簀の子部材欠落部５が形成される。
【００３９】
図１９は、簀の子の補完体及びその周辺部分の拡大透視説明図である。
図２０は、簀の子の補完体及びその周辺部分の他の例を示す説明断面図である。
図７、図１９，図２０を参照する。
簀の子部材２３には、簀の子部材欠落部５を開閉可能に補完する補完体８を上下方向に回動可能に取り付けている。補完体８は、ステンレス板を折曲して上面部８０と上面部８０の両側に垂設された壁部８１，８１を有し、下方が開口された断面「コ」状に形成している。壁部８１，８１には貫通孔（符号省略）が設けてあり、貫通孔を連結ボルトの間隔保持管６に嵌挿して、該嵌装箇所を枢着部９として上下方向に回動できる。
【００４０】
補完体８の上面部８０の基端側を切欠して基端縁８２を形成している。基端縁８２と枢着部９との距離によって、補完体８を上方に回動したときに９０度に満たない角度、９０度、或いは９０度を超える角度で基端縁８２が上面部２３０に当接するよう設定できる。
図７，図１９は、補完体８を上方に回動したときに９０度を超える角度で基端縁８２が上面部２３０に当接した状態を示している。この例の場合は、補完体８を立った状態で停止できるので、固着作業がやりやすい利点がある。
【００４１】
しかし、簀の子２を排水皿１に固着した後に補完体８を倒しておくのを忘れた場合には、補完体８に躓く事故が発生する恐れがある。
図２０には、その恐れをなくした例を示している。この例では、基端縁８２と枢着部９との距離を短くして、補完体８を上方に回動したときに９０度に満たない角度で基端縁８２が上面部２３０に当接するよう設定している。これによると、補完体８を立った状態で停止できないので固着作業の際には、多少邪魔にはなるものの、作業が終わると補完体８は重力で下方に向けて回動して倒れて簀の子部材欠落部５を補完する。従って補完体８が立った状態で放置されて、歩行者がこれに躓くなどの危険性をなくすことができる。
また、基端縁８２と枢着部９との距離を短くすると、基端縁８２と上面部２３０の端縁との間の距離も短くなり、隙間９０も小さくなってハイヒールの踵や傘の石突きなどが刺さり落ち込みにくくなり好ましい（図８参照）。
【００４２】
補完体８を上方に回動したときに９０度に満たない角度で立つようにする手段としては、上記のように基端縁８２と枢着部９との距離を適宜設定して行うほかに、壁部８１，８１を基部方向に延長して底板１１との当接部（符号省略）を形成し、補完体８を上方に回動したときに９０度に満たない角度で当接部が排水皿の底板１１内面に当接するようにしても良い。
【００４３】
補完体８の両壁部８１，８１には緩衝材８３を配置して補完体８の左右の揺動を抑えている。
なお、排水皿１及び簀の子２の素材は、上記したように、金属、例えばステンレスをあげることができるが、プラスチック、ＦＲＰ或いは金属とプラスチックを複合したものも使用でき、特に限定するものではない。
【００４４】
（作  用）
図２１は、建物の外部側出入り口通路に排水器具を設置した状態の説明図である。
図に示すように、最初に建物の外部側出入り口の通路Ｆに排水皿１を設置する。設置に当たっては排水皿１の周りに生コンクリートを打設する。生コンクリートは、排水皿１の底板１１下面と掛止具１６１，１６２の間に入り込み、生コンクリートが固まったときに、掛止具１６１，１６２がアンカー効果を奏して、排水皿１が床面Ｆから取り外れるのを防止する。
なお、掛止具１６１，１６２にアンカー具１７０を取り付けることによってより十分な浮き上がり防止を図ることができる。
【００４５】
通路Ｆに設置した排水皿１に簀の子２を設置する場合は、簀の子部材２３の後端側２０の空間部２３３に係合片４１に嵌め入れながら簀の子２を排水皿１内に設置する。
【００４６】
設置した状態では、排水皿１の底板１１に垂設した固着ボルト３０は、簀の子部材２を連結している先部の連結具７０の底板７０１に形成した貫通孔７１０を通って上面側に突き出て簀の子部材欠落部５の箇所に位置する。補完体８を上方に回動した状態でこの固着ボルト３０にナット３３を装着して締め込み、簀の子２を排水皿１に固着する。
作業が終われば補完体８は手動或いは自重によって下方に回動して簀の子部材欠落部５を塞ぎ、簀の子２の上面は、簀の子部材２１，２２，２３，２４，２５間を除いて全体として略平面状態となる。
【００４７】
この状態で簀の子２を排水皿１から引き上げても、簀の子２は排水皿１に固着されているので取り外すことはできない。簀の子２を取り外すにはナット３３を取り外す工具および取り外し作業が必要となる。その手間が必要となり盗難の予防に役立つ。
特に、ナットに一般の工具では合わないような特殊なものを使用すると、盗難防止の効果は更に高まる。
【００４８】
なお、排水皿１の内部を掃除する場合は、ナット３３を取り外し、簀の子を排水皿から取り出せばよい。
【実施例２】
【００４９】
図２２は  本発明の他の実施例を示した要部を説明する分解斜視説明図、
図２３は、本発明の他の実施例を示した要部説明断面図である。
なお、実施例１に記載したものと同一又は同等箇所には同一符号を付して示している。
排水皿１の短辺側の側壁内面１２中央部分に、受け具３００を取り付けている。受け具３００は金属製（ステンレス製）板をＬ状に折曲して水平片３０１と垂直片３０２を形成している。水平片３０１の略中央部には、内面に雌ねじを有する固着孔３０３が形成してある。垂直片３０２を短辺側の側壁内面１２中央部分に、溶接によって固定している。
【００５０】
一方、簀の子２の簀の子部材２３は、先端部上部側を切欠して、或いは別部材を固着して、上面２３０より一段低く形成した固着部２３１ａを形成している。そして簀の子２を排水皿１に固着するには、固着部２３１ａの水平部分の上に押さえ具３０４を設置し、その上からボルト又はビス３０５で固着孔３０３に螺合して押さえ具３０４で固着部２３１ａを押さえて簀の子２を排水皿１に固着する。
なお、簀の子部材２３に簀の子部材欠落部５が設けてあること、簀の子部材欠落部５を補完する補完体８を有すること、排水皿の側壁で簀の子部材２３の後端側に係合具を有すること等は実施例１の場合と同様であり、図示及び説明を省略する。
【００５１】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５２】
【図１】排水器具の一実施例を示した平面図
【図２】図１に示した排水器具の底面図
【図３】図１に示した排水器具の右面図
【図４】図１に示した排水器具の正面図
【図５】図１に示した排水器具のＡ−Ａ拡大断面図
【図６】図１に示した排水器具のＢ−Ｂ拡大断面図
【図７】図５の一部を省略した拡大図
【図８】図１に示した排水器具の先端側を拡大した要部斜視図
【図９】本発明に係る排水皿の一実施例を示した平面図
【図１０】図９に示した排水皿の底面図
【図１１】図９に示した排水皿の斜視図
【図１２】本発明に係る簀の子の一実施例を示した平面図
【図１３】図１２に示した簀の子の底面図
【図１４】図１２に示した簀の子の正面図
【図１５】図１２に示した簀の子の背面図
【図１６】図１２に示した簀の子の拡大左側面図
【図１７】図１２に示した簀の子の拡大右側面図
【図１８】図１２に示した簀の子の斜視図
【図１９】補完体及びその周辺部分の拡大透視説明図
【図２０】補完体及びその周辺部分の他の例を示す説明断面図
【図２１】建物の外部側出入り口通路に排水器具を設置した状態の説明図
【図２２】本発明の他の実施例を示した要部を説明する分解斜視説明図
【図２３】本発明の他の実施例を示した要部説明断面図
【符号の説明】
【００５３】
１００  排水器具
１ 排水皿
２ 簀の子
４ 係合具
５ 簀の子部材欠落部
６ 間隔保持管
８ 補完体
【図１】
2009019474.tif 000003
【図２】
2009019474.tif 000004
【図３】
2009019474.tif 000005
【図４】
2009019474.tif 000006
【図５】
2009019474.tif 000007
【図６】
2009019474.tif 000008
【図７】
2009019474.tif 000009
【図８】
2009019474.tif 000010
【図９】
2009019474.tif 000011
【図１０】
2009019474.tif 000012
【図１１】
2009019474.tif 000013
【図１２】
2009019474.tif 000014
【図１３】
2009019474.tif 000015
【図１４】
2009019474.tif 000016
【図１５】
2009019474.tif 000017
【図１６】
2009019474.tif 000018
【図１７】
2009019474.tif 000019
【図１８】
2009019474.tif 000020
【図１９】
2009019474.tif 000021
【図２０】
2009019474.tif 000022
【図２１】
2009019474.tif 000023
【図２２】
2009019474.tif 000024
【図２３】
2009019474.tif 000025